【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
アンテナをトランシーバにマッピングすることのできるデバイスにおいて、
各アンテナが、複数の無線技術に従って無線信号を受信するように構成された複数のアンテナと、
各接触センサが、前記複数のアンテナのうちの対応するアンテナに関する接触を示す、複数の接触センサと、
複数のトランシーバであって、
第1のトランシーバが、前記複数の無線技術のうちの第1の無線技術を利用するように構成され、
第2のトランシーバが、前記複数の無線技術のうちの第2の無線技術を利用するように構成された
複数のトランシーバと、
プロセッサであって、
前記複数のアンテナのサブセットを識別し、
前記複数の接触センサから接触指示を受け取り、
前記接触指示に基づいて、前記複数のアンテナの前記識別されたサブセットから第1のアンテナを選択する
ように構成されたプロセッサと
を備えるデバイス。
【請求項２】
前記プロセッサからの入力に基づいて、前記第1のアンテナを前記複数のトランシーバのうちの1つまたは複数のトランシーバにマッピングするように構成されたセレクタ回路をさらに備える、請求項1に記載のアンテナをトランシーバにマッピングすることのできるデバイス。
【請求項３】
前記プロセッサは、ソフトスイッチングを使用して前記第1のアンテナを前記複数のトランシーバのうちの1つまたは複数のトランシーバにマッピングするようにさらに構成される、請求項1に記載のアンテナをトランシーバにマッピングすることのできるデバイス。
【請求項４】
前記プロセッサは、前記第1のトランシーバが使用されていないときに前記複数のトランシーバのうちの前記第1のトランシーバを前記複数のアンテナのうちのすべてのアンテナからアンマップすることを決定するようにさらに構成される、請求項1に記載のアンテナをトランシーバにマッピングすることのできるデバイス。
【請求項５】
前記プロセッサは、前記複数のアンテナのうちの2つのアンテナを前記複数のトランシーバのうちの前記第2のトランシーバにマッピングすることを決定するようにさらに構成される、請求項1に記載のアンテナをトランシーバにマッピングすることのできるデバイス。
【請求項６】
各接触指示が、前記複数のアンテナのうちの対応するアンテナの物理エンティティとの接触の程度を示す、請求項1に記載のアンテナをトランシーバにマッピングすることのできるデバイス。
【請求項７】
前記プロセッサは、前記複数の接触センサから受け取られた前記接触指示を分析するようにさらに構成され、
前記第１のアンテナは、前記物理エンティティとの接触の程度が最も低い、請求項6に記載のアンテナをトランシーバにマッピングすることのできるデバイス。
【請求項８】
前記プロセッサは、
前記複数の接触センサからの前記接触指示の分析に少なくとも部分的に基づいて前記複数のアンテナのうちのあるアンテナを前記複数のトランシーバのうちの前記第2のトランシーバに割り当てるようにさらに構成される、請求項7に記載のアンテナをトランシーバにマッピングすることのできるデバイス。
【請求項９】
前記第1のトランシーバおよび前記第2のトランシーバの各々は、受信機能および送信機能のうちの一方のみを実施する、請求項1に記載のアンテナをトランシーバにマッピングすることのできるデバイス。
【請求項１０】
複数の信号対雑音測定値コレクタをさらに備え、
各信号対雑音測定値コレクタは、前記複数のトランシーバのうちのあるトランシーバに対応し、
前記複数の信号対雑音測定値コレクタの各信号対雑音測定値コレクタは、前記対応するトランシーバに関連する信号対雑音測定値を前記プロセッサに送るように構成され、
前記プロセッサは、
前記複数の信号対雑音測定値コレクタの各信号対雑音測定値コレクタから前記信号対雑音測定値を受け取り、
前記受け取った信号対雑音測定値のうちの少なくとも1つを使用してアンテナマッピングをいつ修正すべきかを判定するようにさらに構成される、請求項1に記載のアンテナをトランシーバにマッピングすることのできるデバイス。
【請求項１１】
前記プロセッサは、
前記アンテナマッピングを修正すべきであると判定されたときに、前記受け取った接触指示に少なくとも部分的に基づいて前記アンテナマッピングに対する修正を決定するようにさらに構成される、請求項10に記載のアンテナをトランシーバにマッピングすることのできるデバイス。
【請求項１２】
アンテナをトランシーバにマッピングするための方法であって、
複数の無線技術のうちの第1の無線技術に関して有効な電磁トランスデューサとして働く可能性がある、複数のアンテナのうちのサブセットを識別するステップであって、前記複数のアンテナの各アンテナが、前記複数の無線技術に従って無線信号を受信するように構成される、ステップと、
複数の接触センサから接触指示を受け取るステップであって、各接触指示は、前記複数のアンテナのうちの対応するアンテナが物理エンティティと接触しているかどうかを示す、ステップと、
前記受け取られた接触指示に基づいて、前記複数のアンテナの前記識別されたサブセットから第1のアンテナを選択するステップと、
前記第1のアンテナを複数のトランシーバのうちの第１のトランシーバにマッピングするステップであって、前記複数のトランシーバのうちの前記第１のトランシーバは、前記複数の無線技術のうちの前記第1の無線技術を利用するように構成される、ステップと
を含む方法。
【請求項１３】
前記サブセットを識別するステップは、前記複数のアンテナのうちのアイドル状態の複数のアンテナを識別するステップを含み、アイドル状態の各アンテナは、現在通信に使用されておらず、前記1つまたは複数のアンテナは、前記アイドル状態の複数のアンテナの一部である、請求項12に記載のアンテナをトランシーバにマッピングするための方法。
【請求項１４】
前記複数のアンテナおよび前記複数のトランシーバはモバイルデバイスの一部であり、
前記複数のアンテナは前記モバイルデバイスのすべてのアンテナを含み、かつ
前記複数のトランシーバは前記モバイルデバイスのすべてのトランシーバを含む、請求項12に記載のアンテナをトランシーバにマッピングするための方法。
【請求項１５】
前記第１のアンテナを選択するステップは、前記複数のアンテナのうちの前記識別されたサブセットから2つのアンテナを選択するステップを含み、前記マッピングするステップは前記2つのアンテナを前記第1のトランシーバにマッピングするステップを含む、請求項12に記載のアンテナをトランシーバにマッピングするための方法。
【請求項１６】
前記第１のアンテナを選択するステップは、
前記複数の接触センサから受け取られた接触指示を分析して、前記物理エンティティとの接触の程度が最も低い前記第１のアンテナを選択するステップを含む、請求項12に記載のアンテナをトランシーバにマッピングするための方法。
【請求項１７】
複数の信号対雑音測定値コレクタの各信号対雑音測定値コレクタから信号対雑音測定値を受け取るステップと、
前記接触指示を分析する前に、少なくとも1つの信号対雑音測定値を使用して、アンテナマッピングを修正すべきであると判定するステップとをさらに含む、請求項16に記載のアンテナをトランシーバにマッピングするための方法。
【請求項１８】
前記複数のトランシーバのうちの前記第1のトランシーバに関連する信号対雑音測定値を判定するステップと、
前記識別するステップの前に、前記信号対雑音測定値に少なくとも部分的に基づいて前記複数のトランシーバのうちの前記第1のトランシーバへのアンテナのマッピングを修正することを決定するステップとをさらに含む、請求項12に記載のアンテナをトランシーバにマッピングするための方法。
【請求項１９】
コンピュータに、
複数の無線技術のうちの第1の無線技術に関して有効な電磁トランスデューサとして働く可能性がある、複数のアンテナのうちのサブセットを識別するステップであって、前記複数のアンテナの各アンテナが、前記複数の無線技術に従って無線信号を受信するように構成される、ステップと、
複数の接触センサから接触指示を受け取るステップであって、各接触指示は、前記複数のアンテナのうちの対応するアンテナが物理エンティティと接触しているかどうかを示す、ステップと、
前記受け取られた接触指示に基づいて、前記複数のアンテナの前記識別されたサブセットから第1のアンテナを選択するステップと、
前記第1のアンテナを複数のトランシーバのうちの第１のトランシーバにマッピングするステップであって、前記複数のトランシーバのうちの前記第１のトランシーバは、前記複数の無線技術のうちの前記第1の無線技術を利用するように構成される、ステップと
を実行させるように構成された命令を含む非一時的なコンピュータ可読記憶媒体。
【請求項２０】
前記命令は、前記コンピュータに、
前記第１のアンテナを前記複数のトランシーバのうちの前記第1のトランシーバにマッピングするよう指示する指示をセレクタ回路に送るステップを実行させるようにさらに構成される、請求項19に記載の非一時的なコンピュータ可読記憶媒体。
【請求項２１】
前記コンピュータに前記第１のアンテナを選択するステップを実行させるように構成された前記命令は、前記コンピュータに、
前記複数のアンテナのうちの前記識別されたサブセットから2つのアンテナを選択するステップを実行させる命令を含み、前記マッピングするステップは前記2つのアンテナを前記第1のトランシーバにマッピングするステップを含む、請求項19に記載の非一時的なコンピュータ可読記憶媒体。
【請求項２２】
前記コンピュータに前記第１のアンテナを選択するステップを実行させるように構成された前記命令は、前記コンピュータに、
前記複数の接触センサから受け取られた前記接触指示を分析して、前記物理エンティティとの接触の程度が最も低い前記第１のアンテナを選択するステップを実行させるように構成された命令をさらに含む、請求項21に記載の非一時的なコンピュータ可読記憶媒体。
【請求項２３】
前記命令は、前記コンピュータに、
前記複数のトランシーバのうちの前記第1のトランシーバが使用されていないときに前記複数のトランシーバのうちの前記第1のトランシーバを前記複数のアンテナのうちのすべてのアンテナからアンマップするステップを実行させるように構成される、請求項19に記載の非一時的なコンピュータ可読記憶媒体。
【請求項２４】
前記命令は、前記コンピュータに、
各信号対雑音測定値が前記複数のトランシーバのうちの対応するトランシーバに関連付けられた信号対雑音測定値を受け取るステップと、
前記信号対雑音測定値のうちの1つまたは複数に少なくとも部分的に基づいてアンテナの前記第1のトランシーバへのマッピングを修正することを決定するステップとを実行させるように構成される、請求項19に記載の非一時的なコンピュータ可読記憶媒体。
【請求項２５】
アンテナをトランシーバにマッピングするための装置であって、
複数の無線技術のうちの第1の無線技術に関して有効な電磁トランスデューサとして働く可能性がある、複数のアンテナのうちのサブセットを識別するための手段であって、前記複数のアンテナの各アンテナが、前記複数の無線技術に従って無線信号を受信するように構成される、手段と、
接触指示を収集するための手段であって、各接触指示は、前記複数のアンテナのうちの対応するアンテナが物理エンティティと接触しているかどうかを示す、手段と、
前記接触指示に基づいて、前記複数のアンテナの前記識別されたサブセットから第1のアンテナを選択するための手段と、
前記第1のアンテナを複数のトランシーバのうちの第１のトランシーバにマッピングするための手段であって、前記複数のトランシーバのうちの前記第１のトランシーバは、前記複数の無線技術のうちの前記第1の無線技術を利用するように構成される、手段と
を備える装置。
【請求項２６】
前記サブセットを識別するための前記手段は、前記複数のアンテナのうちのアイドル状態の複数のアンテナを識別するための手段を含み、アイドル状態の各アンテナは、現在通信に使用されておらず、前記識別されたサブセットは、前記アイドル状態の複数のアンテナの一部である、請求項25に記載のアンテナをトランシーバにマッピングするための装置。
【請求項２７】
前記第１のアンテナを選択するための前記手段は、
前記接触指示を分析して、前記物理エンティティとの接触の程度が最も低い前記第１のアンテナを選択するための手段を備える、請求項25に記載のアンテナをトランシーバにマッピングするための装置。
【請求項２８】
前記複数のアンテナおよび前記複数のトランシーバはモバイルデバイスの一部であり、
前記複数のアンテナは前記モバイルデバイスのすべてのアンテナを含み、かつ
前記複数のトランシーバは前記モバイルデバイスのすべてのトランシーバを含む、請求項25に記載のアンテナをトランシーバにマッピングするための装置。
【請求項２９】
前記複数のトランシーバのうちの前記第1のトランシーバが使用されていないときに前記複数のトランシーバのうちの前記第1のトランシーバを前記複数のアンテナのうちのすべてのアンテナから分離するための手段をさらに備える、請求項25に記載のアンテナをトランシーバにマッピングするための装置。
【請求項３０】
各信号対雑音測定値が前記複数のトランシーバのうちの対応するトランシーバに関連付けられた信号対雑音測定値を収集するための手段と、
前記信号対雑音測定値に少なくとも部分的に基づいて前記複数のトランシーバのうちの前記第1のトランシーバへのアンテナのマッピングを修正することを決定するための手段とをさらに備える、請求項25に記載のアンテナをトランシーバにマッピングするための装置。
【請求項３１】
アンテナをトランシーバにマッピングするためのシステムであって、
各アンテナが、複数の無線技術に従って無線信号を受信するように構成された複数のアンテナと、
少なくとも1つのトランシーバが、少なくとも1つの他のトランシーバによって利用される第2の無線技術とは異なる第1の無線技術を利用するように構成された複数のトランシーバと、
プロセッサからの入力に基づいて、前記複数のアンテナのうちのあるアンテナを前記複数のトランシーバのうちのあるトランシーバにマッピングするように構成されたセレクタ回路と、
前記複数のアンテナの前記複数のトランシーバへのマッピングを制御するように構成された前記プロセッサと、
各接触センサが、前記複数のアンテナのうちの対応するアンテナが外部の物体に接触しているかどうかを示す前記複数の接触センサと、
各信号対雑音測定値コレクタが、前記複数のトランシーバのうちのあるトランシーバに対応し、前記対応するトランシーバの信号対雑音測定値を求める複数の信号対雑音測定値コレクタとを備え、
前記プロセッサは、
前記複数の信号対雑音測定値コレクタのうちの少なくとも1つからの信号対雑音測定値および前記複数の接触センサのうちの少なくとも1つからの指示を使用して、前記複数のアンテナのうちの少なくとも1つのアンテナの前記複数のトランシーバのうちの少なくとも1つのトランシーバへのマッピングに対する修正を決定するようにさらに構成されるシステム。
【請求項３２】
前記セレクタ回路は前記プロセッサの一部である、請求項31に記載のアンテナをトランシーバにマッピングするためのシステム。